(57)【要約】      （修正有）【課題】  マイクやアンテナで受信した音声信号をイヤホンに送る回路にボイススイッチを設け、マイクで受信した送話者の音声をそのままの音量でイヤホンから聴取するとともに、送話者がイヤホンの音量を任意に調節できるようにする。【解決手段】  マイクで受信した信号を増幅する送信側増幅回路と、増幅された信号を変調して送信する変調回路を有する送信側回路と、アンテナで受信した信号を復調する復調回路と、復調された信号を増幅する受信側増幅回路を有する受信側回路とを備えた携帯電話装置において、前記受信側増幅回路から音声出力部に至る発声回路にボイススイッチを設け、該ボイススイッチは、前記マイクからの入力信号を受け前記音声出力部とイヤホンに出力信号を送るように接続し、前記ボイススイッチにより、周囲の状況に応じて前記イヤホンの発生音量を調節するようにした。【選択図】    図４
2006135581.tif 000002
【特許請求の範囲】
【請求項１】
マイクで受信した信号を増幅する送信側増幅回路と、増幅された信号を変調して送信する変調回路を有する送信側回路と、アンテナで受信した信号を復調する復調回路と、復調された信号を増幅する受信側増幅回路を有する受信側回路とを備えた携帯電話装置において、
前記受信側増幅回路から音声出力部に至る発声回路にボイススイッチを設け、該ボイススイッチは、前記マイクからの入力信号を受け、前記音声出力部とイヤホンに出力信号を送るように接続し、前記ボイススイッチにより、周囲の状況に応じて前記イヤホンの発生音量を調節するようにしたことを特徴とする携帯電話装置。
【請求項２】
前記ボイススイッチは、音量調節ボタンと音声増幅器を備え、前記音量調節ボタンの操作によって、前記イヤホンの音量が小さい場合に、音量を増大するようにしたことを特徴とする請求項１に記載の携帯電話装置。
【請求項３】
前記ボイススイッチは、携帯電話本体に設けられた接続口からイヤホンに至る連結コードに配されることを特徴とする請求項１に記載の携帯電話装置。
【請求項４】
前記ボイススイッチは、携帯電話本体に内蔵された制御回路に組み込まれることを特徴とする請求項１に記載の携帯電話装置。
【発明の詳細な説明】
【技術分野】
【０００１】
本発明は、携帯電話装置に関し、特に通話の音量拡大機能を有する携帯電話装置の改良に関する。
【背景技術】
【０００２】
従来の携帯電話装置では、出荷前には通話音量を任意に設定することができるが、出荷時に通話音量を設定してしまうと、それ以降はその設定した通話音量で使用するようになっている。また、携帯電話装置は、使用者とともに様々な場所に移動し、通話時の周囲の環境も様々に変化する。
【０００３】
ところが、携帯電話装置の通話音量は、使用環境が変化しても、出荷時のままで使用され、使用環境の変動に適応するようにはなっていなかった。そのため、電車内や人混みなど、周囲の雑音が大きい場所で携帯電話装置を使用すると、通話音量が小さく設定されていると、使用者は、自然に声が大きくなってしまい、周囲に迷惑をかけてしまう恐れがあった。
【０００４】
そこで、特許文献１に、携帯電話装置を公衆の場で使用するときに、周囲の人に迷惑をかけないように、通話中に使用者の発生音量を低下させる携帯電話装置が開示されている。図７は、この携帯電話装置の構成を示し、基地局（図示せず）からの電波は、受信アンテナ５１で受信され、受信用高調波増幅器５２、復調回路５３、受話音声信号増幅回路５４を経て、受話器５５から音声として出力される。一方、送話器６１で集音された音声は、送話音声信号増幅回路６２、変調回路６３、送信用高調波増幅器６４、送信用アンテナ６５を経て基地局に向けて送信される。
【０００５】
また、携帯電話装置を公衆の場で使用する場合、携帯電話装置を公衆環境通話モードに切り替えるためのスイッチ７１は、受話音声信号増幅回路５４と送話音声信号増幅回路６２とに連動しており、スイッチ７１をＯＮにすると、各々の回路の増幅度を一定量だけ増加させる。また、スイッチ７１がＯＮになると、側音増幅器７２が働き、送話器６１からの送話音声が増幅され、受話音声信号増幅回路５４を経て受話器５５からの送話の側音が大きく聞こえるようになる。
【特許文献１】特開平６−６４４１号公報
【発明の開示】
【発明が解決しようとする課題】
【０００６】
ところで、側音増幅器７２の出力は、一旦ボイススイッチ７３を経由し、相手側の通話音声がある場合、若しくは送話していない場合には、ボイススイッチ７３が働き、側音増幅器７２の出力を受話音声信号増幅回路５４に伝えないようにして、受話音声の劣化を防止している。
【０００７】
これにより、公衆の場における通話モードでは、送話時の音声側音が増大するため、送話者の発生レベルでは自然に低下するが、同時に送話音声信号増幅回路６２の増幅度を増加させるようになっているので、相手側の受話音量は送話者の発声レベルが低下しても影響を受けない。
ところが、上記従来の携帯電話装置では、ボイススイッチ７３を、相手側の通話音声を検知することにより、側音増幅器７２の出力をＯＮ又はＯＦＦにする。すなわち、ボイススイッチ７３は、相手側の通話音声がある場合、若しくは送話していない場合に、側音増幅器７２の出力を受話音声信号増幅回路５４に伝えないように音声を遮断するようになっている。
【０００８】
そのため、上記従来の携帯電話装置は、相手側の通話音声がある場合や、非送話時に、側音増幅器７２の出力を遮断するだけで、電車内など、雑音が大きい場所で携帯電話装置を使用した場合、通話音声を小さく抑えることができず、送話者は、自然と大声で話し、周りの人に迷惑をかけてしまうという厄介な問題があった。
【０００９】
そこで、本発明の目的は、マイクやアンテナで受信した音声信号をイヤホンに送る回路にボイススイッチを設け、マイクで受信した送話者の音声をそのままの音量でイヤホンから聴取するとともに、送話者がイヤホンの音量を任意に調節できるようにする。これにより、送話者が、周囲の雑音が大きい場合に大声で話すことをなくし、周囲の人に迷惑をかけないようにすることにある。
【課題を解決するための手段】
【００１０】
本発明の上記目的は、マイクで受信した信号を増幅する送信側増幅回路と、増幅された信号を変調して送信する変調回路を有する送信側回路と、アンテナで受信した信号を復調する復調回路と、復調された信号を増幅する受信側増幅回路を有する受信側回路とを備えた携帯電話装置において、前記受信側増幅回路から音声出力部に至る発声回路にボイススイッチを設け、該ボイススイッチは、前記マイクからの入力信号を受け、前記音声出力部とイヤホンに出力信号を送るように接続し、前記ボイススイッチにより、周囲の状況に応じて前記イヤホンの発生音量を調節するようにしたことにより、達成される。
【００１１】
また、本発明の上記目的は、前記ボイススイッチに、音量調節ボタンと音声増幅器を備え、前記音量調節ボタンの操作によって、前記イヤホンの音量が小さい場合に、音量を増大するようにしたことを特徴とすることにより、効果的に達成される。
【００１２】
また、上記目的は、前記ボイススイッチを携帯電話本体に設けられた接続口からイヤホンに至る連結コードに配したことにより、効果的に達成される。
【００１３】
さらに、上記目的は、前記ボイススイッチを携帯電話本体に内蔵された制御回路に組み込むことにより、効果的に達成される。
【発明の効果】
【００１４】
以上のように、本発明に係る携帯電話装置では、受信側増幅回路から音声出力部に至る発声回路にボイススイッチを設け、該ボイススイッチは、前記マイクからの入力信号を受け、前記音声出力部とイヤホンに出力信号を送るように接続し、前記ボイススイッチにより、周囲の状況に応じて前記イヤホンの発生音量を調節するようにした。これにより、電車の中など、周囲の雑音が大きい場で携帯電話装置を使用しても、送話者は、発生した音声を適度の音量で聞くことができ、周囲の雑音などの影響を受けることがない。よって、周囲の雑音が大きい場合に必然的に生じる大声を発生することがなくなり、周囲の人に迷惑をかけることがない。
【発明を実施するための最良の形態】
【００１５】
以下、図面を参照しながら、本発明の実施形態を説明する。
【００１６】
図１ないし図３は、一般的な携帯電話の概略構成を示す。これらの図において、例えば、いわゆる携帯電話やＰＨＳなどの携帯電話装置１は、携帯電話装置本体２（以降、単に「本体」という。）に、本体２の各種操作を行う操作部３と、いわゆるアンテナである送受信部４と、各種表示を行う表示部５と、使用者の音声などが入力される音声入力部６と、相手側の電話の音声が出力される音声出力部７と、携帯電話装置１の各種制御を行う制御部８と、マイク９とが設けられている。
【００１７】
また、制御部８は、図３に示すように、送受信部４で、通信回路網を介して他の携帯電話装置や配信センタからの電波を受信する。また、送受信部４で他の携帯電話からの電波を受信すると、本体２側の制御によって音声出力部７から相手の音声を出力するとともに、音声入力部６に入力された使用者の音声を他の携帯電話装置に送信するようになっている。なお、制御部８には、送受信データなどを記憶するための記憶部１０が設けられている。
【００１８】
また、本体２の側部には、音声信号をイヤホン１１に伝達するためのコード１２の接続口１３が設けられている。このコード１２には、図４に示すように、音声信号の音量を調節するためのボイススイッチ１４が配されている。このボイススイッチ１４は、図５に示すように、下部に一対のボタン、すなわち断続ボタン１５と音量調節ボタン１６が設けられている。断続ボタン１５は、イヤホン１０に伝達する音声信号の遮断を調節し、音量調節ボタン１６は、音量の増減を調節するようになっている。
【００１９】
また、図６は、携帯電話装置による音声処理を示す。この図において、マイク９から入力された音声信号は、送信側増幅回路２１で増幅され、変調回路２２で変調される。この変調信号は、送信高周波回路２３およびアンテナ共用器２４を介してアンテナ２５から送信される。このマイク９からアンテナ２５に至る回路によって、音声信号の送信側回路が構成される。一方、アンテナ２５で受信された信号は、アンテナ共用器２４を介して受信高周波回路３１に送られる。この信号は、復調回路３２で、音声信号として復調され、受信側増幅回路３３で増幅される。
【００２０】
そして、受信側増幅回路３３からの増幅信号は、ボイススイッチ１４を介して音声出力部７に送られる。また、ボイススイッチ１４は、マイク９からの入力信号を受け、イヤホン１１に出力信号を送るようになっている。このボイススイッチ１４には、音声増幅器を備え、マイク９からの音声入力信号に応じて、イヤホン１１に音声信号を出力するようになっている。
【００２１】
これにより、ボイススイッチ１４に、音声増幅器を設けることによって、マイク９からの入力信号に応じて音声信号を増減できるようになっている。その結果、人混みの中など、周囲が騒がしい場合でも、ボイススイッチ１４によってボイススイッチ１４の音量を調節することにより、送話者は、自分の発する音声をイヤホンで確認しながら、常に適切な音量で自分の音声を明瞭に聞くことができる。よって、周囲の雑音が大きい場合でも、大声で周囲の人に迷惑をかけず、携帯電話の使用時のマナーが向上する。
【図面の簡単な説明】
【００２２】
【図１】本発明に係る携帯電話装置の外観を示す正面図である。
【図２】図１の携帯電話装置を側方から眺めた図である。
【図３】前記携帯電話装置に内蔵された制御ブロック図である。
【図４】携帯電話装置の本体からイヤホンへのコード途中にボイススイッチが設けられた状態を示す図である。
【図５】図４のボイススイッチを拡大した状態を示す図である。
【図６】携帯電話装置の送受信動作を説明するブロック図である。
【図７】従来の携帯電話装置の送受信動作を説明するブロック図である。
【符号の説明】
【００２３】
１          携帯電話装置
２          本体
４          送受信部
６          音声入力部
７          音声出力部
８          制御部
９          マイク
１１          イヤホン
１２          コード
１３          接続口
１４          ボイススイッチ
１５          断続ボタン
１６          音量調節ボタン
２５          アンテナ
【図１】
2006135581.tif 000003
【図２】
2006135581.tif 000004
【図３】
2006135581.tif 000005
【図４】
2006135581.tif 000006
【図５】
2006135581.tif 000007
【図６】
2006135581.tif 000008
【図７】
2006135581.tif 000009